(57)【要約】【課題】装着感やフィット性を損なわずに、尿の吸収性を高めることができ、尿漏れが効果的に抑制された男性用失禁パッドを提供すること。【解決手段】男性用失禁パッド１０は、中央域Ｃと、中央域Ｃから長手方向Ｘの前後に延出する前方域Ａ及び後方域Ｂとを有している。男性用失禁パッド１０は、表面シート１１、裏面シート１２、及び吸収性コア１４を備えた吸収体１３を有している。吸収性コア１４は、中央域Ｃにおける幅ＷＣよりも前方域Ａにおける幅ＷＡの方が広くなっており、それによって吸収性コア１４は、前方域Ａにおいて、中央域Ｃにおける側縁よりも幅方向の外方へ張り出した張り出し部１７を有している。張り出し部１７には前方弾性部材２０が配置されている。前方弾性部材２０は表面シート１１よりも裏面シート１２側に位置している。【選択図】図３
2015188714.tif 000002
【特許請求の範囲】
【請求項１】
長手方向及びそれと直交する幅方向を有し、
長手方向の中央に位置する中央域と、該中央域から長手方向の前後にそれぞれ延出する前方域及び後方域とを有し、
表面シート、裏面シート、及び両シート間に配置され、かつ吸収性コアを備えた吸収体を有し、
前記吸収性コアは、中央域における幅よりも前方域における幅の方が広くなっており、それによって該吸収性コアは、前方域において、中央域における側縁よりも幅方向の外方へ張り出した張り出し部を有し、
前記張り出し部に、長手方向に延びる弾性部材が伸張状態で配置されており、
前記弾性部材は、前記表面シートよりも前記裏面シート側に位置している、男性用失禁パッド。
【請求項２】
前記弾性部材が、前記張り出し部の長手方向全域にわたって配置されている請求項１に記載の男性用失禁パッド。
【請求項３】
前記弾性部材を挟む部材どうしが、該弾性部材の全長にわたって、該弾性部材を介して接合されている請求項１又は２に記載の男性用失禁パッド。
【請求項４】
前記弾性部材が、前記吸収性コアと前記裏面シートとの間に位置している請求項１ないし３のいずれか一項に記載の男性用失禁パッド。
【請求項５】
前記張り出し部に、該張り出し部の長手方向に延びる前記弾性部材が２本以上配置されており、
前記各弾性部材は、幅方向に沿って離間しており、
任意の２本の前記弾性部材に着目したとき、幅方向の外方側に位置する該弾性部材の方が、内方側に位置する該弾性部材よりも、伸張応力が大きくなっている請求項１ないし４のいずれか一項に記載の男性用失禁パッド。
【請求項６】
前方域において、前記吸収性コアは、幅方向の中央に位置する中央部と、該中央部から幅方向外方へ延出した前記張り出し部とを備え、
前記張り出し部はその曲げ剛性が、前記中央部の曲げ剛性よりも低くなっている請求項１ないし５のいずれか一項に記載の男性用失禁パッド。
【発明の詳細な説明】
【技術分野】
【０００１】
本発明は、男性用失禁パッドに関する。
【背景技術】
【０００２】
下着の内側や、おむつ又はおむつカバーの内側に取り付けて、主として尿を吸収するタイプの吸収性物品が知られている。この種の吸収性物品のうち、男性用ものとして、例えば特許文献１には、吸収性物品の前方部を表面シート側に湾曲させ、かつ前方部の両側縁を表面シート側に起立させることによって、該前方部に着用者の排尿位置にカップ状の凹部を形成することが記載されている。
【０００３】
特許文献２にも、吸収性物品の前身頃における両側部を、表面シートを内側にして屈曲させることで起立させ、尿収容空間を形成することが記載されている。
【先行技術文献】
【特許文献】
【０００４】
【特許文献１】特開平５−２０００５９号公報
【特許文献２】特開２００５−５２２１８号公報
【０００５】
以上のとおり、従来のこの種の吸収性物品においては、該物品の長手方向における前方部に、排泄された尿の横流れを堰き止める構造を設けるようにしている。しかし、男性用失禁パッドにおいて、多量の尿が一度に排泄された場合には、尿の吸収速度が排尿の速度に追いつかず、尿の横漏れが起こる場合があった。尿の吸収速度を高める目的で吸収体の面積を大きくすると、物品が着用者の身体にフィットしづらくなり、そのことに起因して尿漏れが起こってしまう。
【発明の概要】
【発明が解決しようとする課題】
【０００６】
したがって本発明の課題は、前述した従来技術が有する欠点を解消し得る男性用失禁パッドを提供することにある。
【課題を解決するための手段】
【０００７】
本発明は、長手方向及びそれと直交する幅方向を有し、
長手方向の中央に位置する中央域と、該中央域から長手方向の前後にそれぞれ延出する前方域及び後方域とを有し、
表面シート、裏面シート、及び両シート間に配置され、かつ吸収性コアを備えた吸収体を有し、
前記吸収性コアは、中央域における幅よりも前方域における幅の方が広くなっており、それによって該吸収性コアは、前方域において、中央域における側縁よりも幅方向の外方へ張り出した張り出し部を有し、
前記張り出し部に、長手方向に延びる弾性部材が伸張状態で配置されており、
前記弾性部材は、前記表面シートよりも前記裏面シート側に位置している、男性用失禁パッドを提供するものである。
【発明の効果】
【０００８】
本発明によれば、装着感やフィット性を損なわずに、尿の吸収性を高めることができ、尿漏れが効果的に抑制された男性用失禁パッドが提供される。
【図面の簡単な説明】
【０００９】
【図１】図１は、本発明の男性用失禁パッドの一実施形態を示す斜視図である。
【図２】図２（ａ）は、図１に示す男性用失禁パッドをその表面シート側から見た平面図であり、図２（ｂ）は、図１に示す男性用失禁パッドをその裏面シート側から見た平面図である。
【図３】図３は、図２（ａ）におけるIV−IV線断面図である。
【図４】図４は、図２（ａ）におけるIII−III線断面図である。
【図５】図５は、図１に示す男性用失禁パッドの概略分解斜視図である。
【図６】図６（ａ）ないし（ｄ）は、図１に示す男性用失禁パッドにおける芯材の幅方向断面図である。
【図７】図７は、本発明の男性用失禁パッドの別の実施形態を示す概略分解斜視図（図５相当図）である。
【図８】図８は、本発明の男性用失禁パッドの更に別の実施形態を示す断面図（図３相当図）である。
【発明を実施するための形態】
【００１０】
以下本発明を、その好ましい実施形態に基づき図面を参照しながら説明する。図１及び図２に示す実施形態の失禁パッド１０は、例えば男性用失禁パッドとして好適に用いられるものであり、長手方向Ｘ及びそれと直交する幅方向Ｙを有する縦長のものである。男性用失禁パッド１０は、その長手方向Ｘに沿う中央に位置する中央域Ｃを有している。また中央域Ｃから長手方向Ｘの前後にそれぞれ延出する前方域Ａ及び後方域Ｂを有している。前方域Ａは、男性用失禁パッド１０を着用した状態において、着用者の腹側に位置する部位である。後方域Ｂは、男性用失禁パッド１０を着用した状態において、着用者の背側に位置する部位である。中央域Ｃは、男性用失禁パッド１０をその長手方向に沿って三等分したときの中央に位置する。前方域Ａ及び後方域Ｂは、男性用失禁パッド１０をその長手方向に沿って三等分したときに、中央域Ｃに隣接し、かつ長手方向Ｘに沿う端部にそれぞれ位置する部位である。
【００１１】
表面シート１１、裏面シート１２及び吸収体１３を備えている。表面シート１１は、男性用失禁パッド１０の着用時に着用者の肌と対向する面側に位置している。裏面シート１２は、男性用失禁パッド１０の着用時に着用者の肌から遠い側に位置する。表面シート１１は液透過性のものである。裏面シート１２は液不透過性のものであるか、又は液難透過性のものである。裏面シート１２の外面には、男性用失禁パッド１０を下着の内面や、おむつ又はおむつカバーの内面に固定するための粘着剤（図示せず）や面ファスナが施されていてもよい。この粘着剤が施されている場合には、該粘着剤を、男性用失禁パッド１０の使用時まで、剥離処理された保護シート（図示せず）によって被覆して保護することが好ましい。また、面ファスナの雄材が施されている場合には、該雄材を、男性用失禁パッド１０の使用時まで、面ファスナの雌材によって被覆して保護していても良い。
【００１２】
表面シート１１及び裏面シート１２としては、この種の吸収性物品に従来用いられている材料と同様のものを用いることができる。例えば表面シート１１としては、液透過性を有する不織布や穿孔フィルムなどを用いることができる。裏面シート１２としては、液不透過性である合成樹脂製のフィルムや、液難透過性である不織布などを用いることができる。あるいは、液不透過性である合成樹脂製のフィルムと、不織布との貼り合わせシート材を用いることもできる。
【００１３】
表面シート１１と裏面シート１２との間には吸収体１３が配置されている。吸収体１３は液保持性のものである。表面シート１１及び裏面シート１２は、吸収体１３の周縁から外方に延出しており、これらのシートの延出部位が互いに接合されることで、これらのシート間に吸収体１３が挟持される。吸収体１３は、主たる液保持部位である吸収性コア１４を有している。吸収性コア１４は、例えば親水性の繊維材料、例えばフラッフパルプ等のセルロース系繊維の積層体や、該親水性の繊維材料と、ヒドロゲル材料等の高吸収性ポリマーとの混合積層体を用いることができる。吸収性コア１４は、その一部又は全体が、ティッシュペーパーなどの液透過性シートからなるコアラップシートで被覆されて、吸収体１３が形成されていてもよい。本実施形態では、図３及び図４に示すとおり、吸収性コア１４の表面シート１１側にのみコアラップシート２３が配されて吸収体１３が形成されており、該コアラップシート２３は幅方向Ｙにおいては、後述するコア中央域１４Ｃと同じ幅を有しており、張り出し部１７上はコアラップシート２３によって被覆されていない。
【００１４】
吸収体１３は、男性用失禁パッド１０の装着状態において違和感が生じない程度に薄いものであることが好ましい。例えば圧力１９６ｃＮ／ｃｍ２下での吸収体１３の厚みは５ｍｍ以下であることが好ましく、４ｍｍ以下であることが更に好ましく、３ｍｍ以下であることが一層好ましい。厚みの下限値は１．５ｍｍであることが好ましい。吸収体１３における吸収性コア１４が、親水性の繊維材料及び高吸収性ポリマーを含む場合、該繊維材料の坪量は、１００ｇ／ｍ２以上２４０ｇ／ｍ２以下であることが好ましく、１２０ｇ／ｍ２以上２２０ｇ／ｍ２以下であることが更に好ましい。一方、高吸収性ポリマーの坪量は、４０ｇ／ｍ２以上１５０ｇ／ｍ２以下であることが好ましく、４０ｇ／ｍ２以上１２０ｇ／ｍ２以下であることが更に好ましい。
【００１５】
また、男性用失禁パッド１０は、芯材１５を備えている。芯材１５は、吸収体１３と裏面シート１２との間に配置されている。芯材１５は、吸収体１３の幅方向Ｙの中央の位置に、長手方向Ｘに沿って配置されている。芯材１５は、男性用失禁パッド１０に剛性を付与するために用いられる部材である。芯材１５は、例えば、親水性のシート材、ケミカルボンド不織布、エアスルー不織布又はエアレイド不織布などの通気性を有する不織布、プラスチック薄板等から構成されている。芯材１５が通気性を有する不織布から構成されていると、男性用失禁パッド１０の着用状態において蒸れの発生が効果的に抑制されるので好ましい。芯材１５は、特に親水性のシート材から構成されていることが、後述する襞の形成の容易さの点で好ましい。このシート材は、親水性の繊維材料、例えばフラッフパルプ等のセルロース系繊維を含み、湿式抄造法又は乾式のエアレイド法などで製造された抄造体であり得る。芯材１５として抄造体を用いると、吸収された液が長手方向Ｘに沿って前後に拡散しやすくなるので好ましい。
【００１６】
芯材１５が前記のシート材からなる場合、その坪量は、１０ｇ／ｍ２以上８０ｇ／ｍ２以下であることが好ましく、１３ｇ／ｍ２以上６０ｇ／ｍ２以下であることが更に好ましい。厚みは、０．２ｍｍ以上２ｍｍ以下であることが好ましい。厚みは、１９６ｃＮ／ｃｍ２下に、（株）尾崎製作所ダイヤルゲージ（ピーコック型番：Ｎｏ．２０７）などを用いて測定することができる。この場合、縦３６ｍｍ×横３６ｍｍ×厚み３ｍｍのアクリル板を、測定対象のサンプルと厚み計との間に入れて測定を行う。またシート材の曲げ剛性は、ハンドロメーター（スリット幅２０ｍｍ、サンプルの大きさ２００ｍｍ×２００ｍｍ）で測定された値が、５．０ｃＮ以上２００ｃＮ以下であることが好ましい。ハンドロメーターとしては、大栄科学精器製作所製の型番Ｐ３６０Ａを使用することができる。
【００１７】
芯材１５は、高吸収性ポリマーを非含有であることが有利である。芯材１５が高吸収性ポリマーを非含有であることによって、製品使用中に、尿を吸収しても芯材１５の部分的な剛性の変化が少ないため、該高吸収性ポリマーの存在に起因する芯材１５の意図しない位置での折れ曲がりを効果的に抑制でき、男性用失禁パッド１０のフィット性が向上する。
【００１８】
シート材は、１枚で、又は２枚以上を重ね合わせた多層構造で用いることができる。図３及び図４に示す実施形態では、芯材１５は、１枚のシート材を三つ折りして、見かけ上、複数枚を重ね合わせた多層構造になっている。詳細には、芯材１５を構成するシート材は、長手方向Ｘと一致する第１方向及びそれと直交し、かつ幅方向Ｙと一致する第２方向を有し、第１方向に沿う一対の側部域を有する矩形のシート材から構成されている。そしてこのシート材を、第１方向、すなわち長手方向Ｘに沿って、かつ両側部域が重なるように三つ折りして、芯材１５が構成されている。このような芯材１５を用いることで、男性用失禁パッド１０の着用状態において、幅方向Ｙの外方から内方へ向けて外力が加わったときに、該芯材１５の長手方向に延びる幅方向端縁を起点として張り出し部１７がその幅方向Ｙにおいて屈曲しやすくなる。その結果、男性用失禁パッド１０のフィット性が良好になる。
【００１９】
芯材１５と吸収体１３（具体的には吸収性コア１４の裏面シート１２側に配されたコアラップシート、又はコアラップシートが存在しない場合には吸収性コア１４）とは接合されていてもよく、あるいは非接合状態になっていてもよい。両者が非接合状態になっている場合には、男性用失禁パッド１０の着用状態において該男性用失禁パッド１０に変形が生じたときに、芯材１５に、幅方向Ｙに沿って、かつ長手方向Ｘに延びる蛇腹状の襞が生じやすいので好ましい。この襞の形成は、芯材１５の剛性を高めることに寄与する点から有利である。特に、芯材１５が、両側部域が重なるように三つ折りにされている場合、重なった部分を起点にして、芯材１５が蛇腹状に折れやすくなり襞が形成されやすくなるので好ましい。また、前方域Ａが男性器部分に対応し、後方域Ｂが股下部分に対応する。そのため、股下部分においては、後方域Ｂが重力により垂れ下がり、着用者との間に隙間を生じやすい。これに対して、芯材１５が前記の襞を形成して剛性が高まることにより、後方域Ｂが垂れ下がることが防止され、股下部における着用者の身体との間の隙間が減少し、男性用失禁パッド１０のフィット性が改善する。
【００２０】
男性用失禁パッド１０は、その表面シート１１側において、幅方向Ｙの両側部の位置に、長手方向Ｘに延びる一対の防漏カフ１６を備えている。防漏カフ１６は、長手方向Ｘに延びるシート材１６Ａを有している。シート材１６Ａは、図３及び図４に示すとおり、長手方向Ｘに延びる一対の側部域のうち、幅方向Ｙの外方側に位置する側部域が、表面シート１１と接合されている。またシート材１６Ａは、幅方向Ｙの内方側に位置する側部域の側縁の位置に、該側縁に沿って弾性部材１６Ｂが伸張状態で配されている。これによって、シート材１６Ａのうち、表面シート１１との非接合部位が、弾性部材１６Ｂの収縮によって起立して、液抵抗性の防漏カフ１６が形成される。防漏カフ１６は、少なくとも吸収体１３が存在している領域にわたって延びており、好ましくは男性用失禁パッド１０の長手方向Ｘの全長にわたって延びている。したがってシート材１６Ａは、男性用失禁パッド１０の長手方向Ｘの全長にわたって延びている。また、弾性部材１６Ｂは、男性用失禁パッド１０の幅方向Ｙの両側部に、該男性用失禁パッド１０の長手方向Ｙのうち少なくとも吸収体１３が存在している領域にわたり伸張状態で配されている。シート材１６Ａとしては例えば、液難透過性である不織布などを用いることができる。弾性部材１６Ｂは、男性用失禁パッド１０の長手方向Ｘの全長の５０％以上、好ましくは８０％の長さにわたって延びており、更に好ましくは男性用失禁パッド１０の長手方向Ｘのうち、少なくとも吸収体１３が存在している領域全体にわたって延びている。
【００２１】
先に述べた吸収体１３における吸収性コア１４は、男性用失禁パッド１０の概ね全長、好ましくは全長の８０〜９０％にわたって配置されており、吸収体１３の平面視での輪郭をなしている。そして、男性用失禁パッド１０が、前方域Ａ、中央域Ｃ及び後方域Ｂに区分されるのに対応して、吸収性コア１４も、コア前方域１４Ａ、コア中央域１４Ｃ及びコア後方域１４Ｂに区分される。コア前方域１４Ａは、吸収性コア１４のうち、男性用失禁パッド１０の前方域Ａに位置する領域である。コア中央域１４Ｃは、吸収性コア１４のうち、男性用失禁パッド１０の中央域Ｃに位置する領域である。同様に、コア後方域１４Ｂは、吸収性コア１４のうち、男性用失禁パッド１０の後方域Ｂに位置する領域である。
【００２２】
コア前方域１４Ａ、コア中央域１４Ｃ及びコア後方域１４Ｂは相互に連続しており同材料から構成されている。また、厚み及び坪量は一般に同じになっている。尤も、男性用失禁パッド１０に付加的な機能を付与する目的で、各域の厚み及び／又は坪量を異ならせてもよい。例えば、コア前方域１４Ａ及びコア中央域１４Ｃにおける親水性の繊維材料や高吸収性ポリマーの坪量が、コア後方域１４Ｂにおけるそれらの坪量よりも多くなるように偏在化させることにより、液の吸収速度が速くなり更に漏れにくくなる。また、男性着用者の排泄部にあたるコア前方域１４Ａに偏在化させると一層効果を奏する。更に、各域の少なくとも１つに、溝部や貫通孔を形成してもよい。特に、コア中央域１４Ｃに溝部及び／又は貫通孔を形成すると、尿の拡散性を高め吸収力が向上し漏れ防止につながる点で有利である。一方、コア前方域１４Ａにおいては、溝部及び／又は貫通孔を形成しないことが好ましい。コア前方域１４Ａは、着用者の排泄部に対向する領域であるため、尿が勢いよく排泄された場合にも、漏れを生じさせないためである。溝部及び／又は貫通孔は、例えば長手方向Ｘに沿って延びるように１条又は複数条形成することができる。
【００２３】
図２（ｂ）に示すとおり、吸収性コア１４を構成するコア前方域１４Ａ、コア中央域１４Ｃ及びコア後方域１４Ｂのうち、コア中央域１４Ｃは、吸収性コア１４の最小幅ＷＣを有する。またコア前方域１４Ａは、吸収性コア１４の最大幅ＷＡを有する。更に、コア後方域１４Ｂは、最小幅ＷＣと最大幅ＷＡとの中間の幅である中間幅ＷＢを有する。すなわち、ＷＣ＜ＷＢ＜ＷＡの関係となっている。したがって、コア前方域１４Ａとコア中央域１４Ｃとを比較すると、コア中央域１４Ｃにおける幅よりもコア前方域１４Ａにおける幅の方が広くなっており、それによって吸収性コア１４は、コア前方域１４Ａにおいて、コア中央域１４Ｃにおける側縁よりも幅方向Ｙの外方へ張り出した一対の張り出し部１７、１７を有する。コア前方域１４Ａに着目すれば、該コア前方域１４Ａは、幅方向Ｙの中央に位置する中央部１８と、該中央部１８から幅方向外方へそれぞれ延出した上述の張り出し部１７，１７とを備えている。これとは別の形態として、ＷＢとＷＣが同じ幅、つまりＷＣ＝ＷＢ＜ＷＡであってもよい。
【００２４】
吸収体１３の下面側に位置する部材である芯材１５は、その長手方向Ｘの長さが、吸収性コア１４の長手方向の長さと概ね一致しているか、又はそれよりも短くなっている。吸収性コア１４の長さよりも芯材１５の長さの方が短い場合には、該芯材１５の長さは、吸収性コア１４の長さの好ましくは５０％以上、より好ましくは６０％以上であり、好ましくは１００％以下、より好ましくは９５％以下である。幅方向Ｙの長さに関しては、芯材１５の幅方向Ｙの長さは、図４に示すとおり、吸収性コア１４におけるコア中央域１４Ｃでの最小幅ＷＣと概ね一致している。したがって、最大幅ＷＡを有する部位である吸収性コア１４のコア前方域１４Ａにおいては、該コア前方域１４Ａの中央部１８の直下に芯材１５が位置している。そして、コア前方域１４Ａの張り出し部１７に対応する吸収体１３の領域には、芯材１５が存在していない。そのため、前方弾性部材２０と芯材１５とは重ならない。換言すれば、コア前方域において、吸収体１３は、吸収性コア１４と芯材１５とを有する中央部１８と、該中央部１８から幅方向Ｙの外方へ延出し、かつ吸収性コア１４を有するとともに、芯材１５を有さない一対の張り出し部１７とを備えている。吸収性コア１４を構成する親水性の繊維材料の厚みが幅方向において均一であっても、コア前方域Ａがこのような構成になっていることで、中央部１８に比較して、張り出し部１７は構成部材の数が少なくなっている。その結果、張り出し部１７はその曲げ剛性が、中央部１８の曲げ剛性よりも低くなっている。曲げ剛性の大小は、例えばハンドロメーターを用いた測定結果の比較によって判断できる。この場合、ハンドロメーターは、大栄科学精器製作所製ハンドロメーター（型番：Ｐ３６０Ａ）を使用し、測定条件は、測定器スリット幅３０ｍｍ、コア前方域Ａから長手方向に１５ｃｍを切り取ったサンプルにて測定を行う。ただし、男性用失禁パッド１０の大きさが小さくて、サンプル１５ｃｍ以上取れない場合は、長さを変えて測定することもできる。幅方向Ｙの中央部１８（芯材１５と吸収体１３を含んだ部分）及び長手方向Ｘの芯材と張り出し部１７の境界をそれぞれ測定器のスリット幅の中央部に平行に置き、測定することができる。測定器のスリット幅が評価用サンプルに対して広過ぎる場合には、測定器のスリット幅を狭めて評価してもよい。ただし、張り出し部１７の曲げ剛性と、中央部１８の曲げ剛性を測定し比較するため、サンプルの大きさとハンドロメーターのスリット幅は、同じ条件で行うこととする。吸収性コア１４の厚みは、（株）尾崎製作所ダイヤルゲージ（ピーコック型番：Ｎｏ．２０７）などを使用して測定することができる。まず、男性用失禁パッド１０から、有機溶剤を使用して接着剤をとかし、吸収性コア１４以外の材料を丁寧に剥がす。次いで、取り出した吸収性コア１４に、３６．６ｍｇ／ｃｍ２の荷重をかけて測定する。このとき、コア前方域１４Ａにおいて、中央部１８から張り出し部１７までの任意の５点における厚みを測定して平均値を求め、各測定点における厚みが該平均値の１．８倍以上０．２倍以下であれば、厚みが均一であると判断する。３６．６ｍｇ／ｃｍ２という荷重は、実質的に無荷重であるが、全く荷重なしに測定してしまうと、吸収性コア１４に含まれるパルプがふわふわしているため、測定値がぶれてしまう。そのため、測定ぶれを抑えるために、若干の荷重をかけて測定を行っている。
【００２５】
男性用失禁パッド１０においては、表面シート１１と吸収体１３との間に、別のシート１９を配置してもよい。以下、このシート１９のことを「サブレイヤーシート１９」と呼ぶこととする。サブレイヤーシート１９は、男性用失禁パッド１０に付加的な機能を付与するために用いられる。付加的な機能の例としては、吸収した尿から発生する臭いの消臭機能や、吸収した尿の逆戻り防止機能などが挙げられる。消臭機能を付与するためには、サブレイヤーシート１９に、例えば活性炭等の消臭剤を含有させればよい。尿の逆戻り防止機能を付与するためには、例えば繊維存在密度が低く、嵩高な構造の繊維シートをサブレイヤーシート１９として用い、表面シート１１と吸収体１３とを離間させるようにすればよい。サブレイヤーシート１９としては、親水性シート材料で例えばエアスルー不織布、スパンボンド不織布、立体賦形不織布、開孔フィルム等を用いることができる。また、サブレイヤーシート１９の坪量は、２０ｇ／ｍ２以上６０ｇ／ｍ２以下であることが好ましい。
【００２６】
サブレイヤーシート１９は、吸収体１３における表面シート１１との対向面の全域にわたって配置することができ、また該対向面の一部にのみ配置することもできる。該対向面の一部にのみサブレイヤーシート１９を配置する場合には、例えば図３及び図４に示すとおり、吸収体１３における幅方向Ｙの中央の位置に、長手方向Ｘに延びるように配置することができる。この場合、少なくとも中央域Ｃにサブレイヤーシート１９を配置することが好ましく、中央域Ｃ及び前方域Ａにサブレイヤーシート１９を配置することが更に好ましく、吸収体１３における長手方向全域にわたってサブレイヤーシート１９を配置することが一層好ましい。
【００２７】
男性用失禁パッド１０においては、先に述べた吸収体１３の吸収性コア１４におけるコア前方域１４Ａが有する各張り出し部１７の位置に、図３及び図５に示すとおり、長手方向Ｘに延びる糸状の弾性部材２０がそれぞれ伸張状態下に配されている。以下、この弾性部材２０を、他の弾性部材と区別する目的で「前方弾性部材２０」という。前方弾性部材２０は、表面シート１１よりも裏面シート１２側に位置している。具体的には、本実施形態では、前方弾性部材２０は吸収体１３における吸収性コア１４の直下の位置であって、該吸収性コア１４と裏面シート１２との間の位置に配されている。前方弾性部材２０を張り出し部１７の位置に配することで、前方弾性部材２０の収縮によって、コア前方域１４Ａのうち、各張り出し部１７が着用者の身体側に向けて起立し、堰を形成する。それによって男性用失禁パッド１０の前方域Ａがカップ状に変形し、フィット性が向上する。男性用失禁パッド１０が防漏カフ１６を有していない場合は、堰部分における着用者の身体側の表面は表面シート１１で覆われている。そのため、堰部分は吸液性であり、尿の横漏れが効果的に防止される。しかも張り出し部１７は吸収性コア１４から構成されているので、排泄された尿が、起立した張り出し部１７に達し、そこで堰き止められたときに、直ちに張り出し部１７に吸収される。したがって一度に多量の尿が排泄された場合であっても、中央部１８及び張り出し部１７の双方による尿の吸収によって、吸収速度が排尿の速度に追いつかないという、従来技術の不都合が解消される。なお「張り出し部１７の位置に、弾性部材２０が配されている」とは、張り出し部１７と中央部１８との境界よりも幅方向Ｙの外方の位置に弾性部材２０が配されている場合のみならず、該境界の位置に、弾性部材２０が配されている場合も包含する趣旨である。
【００２８】
特に、前方弾性部材２０を、表面シート１１よりも裏面シート１２側に配置することで、該前方弾性部材２０の収縮力が吸収性コア１４に伝わりやすく、男性器を覆う形状になるため、大きな受液面積を確保できる。前方弾性部材２０が液の吸収を阻害することがないようにする観点から、前方弾性部材２０は、表面シート１１と吸収性コア１４との間よりも、吸収性コア１４と裏面シート１２との間の位置に配されていることが好ましい。前方弾性部材２０を、吸収性コア１４と裏面シート１２との間の位置に配置することで、該前方弾性部材２０の収縮に起因して、張り出し部１７が収縮し、弾性部材１６Ｂの収縮力の合成によって、受液面である表面シート１１が凹状（いわゆるカップ形状）を形成しやすく、それによって排泄部を覆うことができ、装着時のフィット性を良好にし、ずれや液漏れを防止するとこができる。
【００２９】
男性用失禁パッド１０が防漏カフ１６を有している場合は、男性用失禁パッド１０を平らに引き延ばして平面視した場合、前方弾性部材２０は、先に述べた防漏カフ１６の弾性部材１６Ｂよりも、幅方向Ｙの外方に位置していることが好ましい。このような配置関係を採用することで、前方弾性部材２０の収縮応力と、防漏カフ１６の弾性部材１６Ｂの収縮応力との相乗効果によって、コア前方域１４Ａがカップ状に一層変形しやすくなる。また、前方弾性部材２０の収縮応力が弱い場合であっても、防漏カフ１６の弾性部材１６Ｂの収縮応力の補助によって、張り出し部１７が変形しやすくなり、コア前方域１４Ａがカップ状に変形しやすくなる。これにより弾性部材１６Ｂによって起立した張り出し部１７による堰部分と防漏カフ１６によって、２つの防漏ギャザーが形成されとなる。そのため、一度に多量の尿が排泄され、防漏カフ１６で尿を堰き止めきれない場合であっても、張り出し部１７によって堰止められ、一対の防漏カフ１６，１６に挟まれた部分から尿が中央部１８に流れ、かつ、中央部１８から直ちに張り出し部１７に流れ、吸収される。
【００３０】
また、張り出し部１７に、長手方向Ｘに沿って延びる筋状のエンボス部を１条又は多条に形成したり、あるいは長手方向Ｘと交差するように斜行して延びる筋状のエンボス部を１条又は多条に形成したりすることでも、コア前方域１４Ａがカップ状に変形しやすくなる。
【００３１】
更に、先に述べたとおり、コア前方域１４Ａを中央部１８と、該中央部１８から幅方向Ｙの外方へ延出した張り出し部１７とから構成し、該張り出し部１７の曲げ剛性を、該中央部１８の曲げ剛性よりも低くすることで、コア前方域１４Ａそれ自身が、張り出し部１７と中央部１８との境界又はその近傍で変形しやすくなり、そのことによってもコア前方域１４Ａがカップ状に変形しやすくなる。この効果を一層顕著なものとする観点から、厚み方向において吸収性コア１４の中央部１８と重なる位置に配される芯材１５の剛性を高めることが有利である。この観点から、図６（ａ）ないし（ｃ）に示すとおり、シート材を三つ折りして構成される芯材１５は、三つ折りされて互いに対向する領域の間が、接着剤２１によって接着されていることが好ましい。
【００３２】
先に述べた前方弾性部材２０及び防漏カフ１６に配された弾性部材１６Ｂは、例えば糸ゴム、平ゴム、フィルム状のゴムから構成することができる。これらの弾性部材が糸ゴムから構成される場合、糸ゴムの繊度は、４００ｄｔｅｘ以上１０００ｄｔｅｘ以下であることが好ましく、５００ｄｔｅｘ以上９５０ｄｔｅｘ以下であることが更に好ましい。また、防漏カフ１６に配された弾性部材１６Ｂとして用いられる糸ゴムの繊度は、前方弾性部材２０として用いられる糸ゴムの繊度の１．２倍以上２．０倍以下であることが好ましい。
【００３３】
前方弾性部材２０及び防漏カフ１６に配された弾性部材１６Ｂは、１．４倍以上２．２倍以下、特に１．５倍以上２．０倍以下の伸張倍率で配されることが好ましい。この範囲の伸張倍率を採用することで、十分な収縮力が発現する。また、これらの弾性部材が伸縮するときの残留歪みが過度に大きくなることが防止され、男性用失禁パッド１０の着用状態において、該男性用失禁パッド１０と着用者の身体との間に隙間が生じにくくなる。
【００３４】
図６（ａ）に示す形態では、幅方向Ｙの全域にわたり、幅広のスパイラル状又はストライプ状に接着剤２１が施されている。スパイラル状の接着剤２１は、紙面と直交する方向である長手方向に延びている。図６（ｂ）に示す形態では、幅方向Ｙにおいて間隔を空けて複数条の接着剤２１が施されている。各条の接着剤２１は、幅狭のスパイラル状に塗布されており、紙面と直交する方向である長手方向に延びている。図６（ｃ）に示す形態では、三つ折りされて互いに対向する領域の間に、ほぼ全幅に接着剤が施されている。芯材１５の剛性は、図６（ａ）ないし（ｃ）に示すとおり、接着剤２１の塗布パターンによって調整できる。これに代えて、又はこれに加えて、接着剤２１の塗布量によっても調整できる。
【００３５】
図６（ｄ）に示す形態の芯材１５は、これまでに説明してきた芯材と異なり、該芯材１５を構成するシート材を三つ折りするときに、両側部域を重ねずに、両側縁が突き合い状態になるようにしたものである。図６（ｄ）においては、三つ折りされて互いに対向する領域の間に接着剤が表されていないが、図６（ａ）ないし（ｃ）に示すパターンや、その他のパターンで接着剤を施してもよい。
【００３６】
図６（ａ）ないし（ｃ）に示すように、両側部域が重なるようにシート材を三つ折りした形態、及び図６（ｄ）に示すように、両側部域を重ねずに、両側縁が突き合い状態になるようにシート材を三つ折りした形態のいずれであっても、重ね合わされた部分又は突き合い状態になっている部分が、吸収性コア１４と対向するように、芯材１５が配置されていてもよい。
【００３７】
以上のとおり、男性用失禁パッド１０においては、吸収性コア１４のうち、コア前方域１４Ａの幅を大きくすることで、吸液性の起立堰である張り出し部１７を形成している。しかし、吸収性コア１４の幅を大きくして単に吸収容量を高めようとすると、男性用失禁パッド１０の装着感やフィット性が減殺されてしまう。そこで本発明においては、吸収性コア１４のうち、コア中央域Ｃの幅をコア前方域１４Ａの幅よりも小さくすることで、男性用失禁パッド１０の装着感やフィット性を減殺させることなく、コア前方域１４Ａにおける尿の吸収性能及び横漏れ防止性能を高めている。
【００３８】
一方、コア後方域１４Ｂに関しては、該コア後方域１４Ｂにおける吸収性能を高める観点からは、その幅を広くすることが望ましい。しかし、コア後方域１４Ｂは、コア前方域１４Ａに比べて排尿量が少ないことや、男性用失禁パッド１０の装着感やフィット性を減殺させないために、コア後方域１４Ｂの幅を、コア前方域１４Ａの幅と同等程度に大きくする必要はない。そこで、コア後方域１４Ｂの幅は、コア中央域１４Ｃの幅と同じにするか、又はコア中央域１４Ｃの幅よりは大きくするが、コア前方域１４Ａの幅よりは小さくすることが好ましい。コア後方域１４Ｂの幅が、コア前方域１４Ａの幅より小さいことで、装着中の違和感を防止することができる。また、男性用失禁パッド１０は、着用者の前方向に偏って装着するため、重力により該パッドが垂れ下がってずれが生じやすい。しかし、コア後方域１４Ｂは着用者の股下部に位置するため、コア後方域１４Ｂの幅がコア中央域１４Ｃの幅よりも広い部分を有していると、着用者の両足から受ける幅方向Ｙの内方へ向けての圧力に起因して、芯材１５の側縁を起点として縦方向に沿って曲がりやすくなる。それにより、該パッドと着用者との接触面積が増え、ずれが防止される。更に、コア後方域１４Ｂの吸収性が向上し、液が長手方向Ｘに沿って流れることに起因する漏れを防止することができる。
【００３９】
男性用失禁パッド１０の前方域Ａがカップ状に変形することを一層確実にする観点から、前方弾性部材２０は、張り出し部１７の長手方向Ｘの全域、又はほぼ全域にわたって配置されていることが好ましい。この場合、前方弾性部材２０が配されている長さは、張り出し部１７の長手方向Ｘの長さと同じでもよく、あるいはそれよりもコア中央域１４Ｃ側に長くてもよい。前方弾性部材２０が、張り出し部１７よりも長手方向Ｘの外方に延びる場合、前方域Ａ側のエンドフラップ（吸収性コア１４が存在しない部分）に皺が発生し、装着感と外観上見栄えが悪化することを避ける観点から、前方弾性部材２０の延出部が張り出し部１７を超える長さは、男性用失禁パッド１０の大きさにもよるが０ｍｍ以上２０ｍｍ以下であることが好ましい。
【００４０】
前方弾性部材２０が配されている長さが、張り出し部１７の長手方向Ｘの長さと同じ場合には、前方弾性部材２０の収縮応力が張り出し部１７のみに作用し、他の部位には作用しないので、不要な収縮部位が発生しなくなる。そのことに起因して、収縮による受液面の意図しない減少を効果的に防止することができる。この効果は、前方弾性部材２０が配されている長さが、張り出し部１７の長手方向Ｘの長さよりも短い場合であっても、該前方弾性部材２０が該張り出し部１７の位置にのみ配されていれば奏される。その場合、当該効果を確実に発現させる観点から、前方弾性部材２０が配されている長さは、張り出し部１７の長手方向Ｘの長さの８０％以上であることが好ましく、９０％以上であることが更に好ましい。また、収縮による受液面の減少を防止する観点から、１００％以下であることが好ましい。
【００４１】
一方、前方弾性部材２０が配されている長さが、張り出し部１７の長手方向Ｘの長さよりも長い場合には、前方弾性部材２０が張り出し部１７からはみ出したはみ出し部分が生じる。このはみ出し部分は、張り出し部１７の長手方向Ｘにおける前後いずれかに存在することができ、あるいは前後双方に存在することができる。はみ出し部分が生じる場合、前方弾性部材２０が、張り出し部１７の中央域Ｃ側の端部を越えて延出し、コア後方域１４Ｂにまで達している形態では、男性用失禁パッド１０の全体が、表面シート１１側を内側としてカップ状に変形するので、中央域Ｃから後方域Ｂにかけての領域においても、男性用失禁パッド１０が着用者の身体に一層フィットするようになる。弾性部材２０が中央域Ｃ側の端部を越えて延出するもののコア後方域１４Ｂまで達していない場合は、コア前方域１４Ａ及びコア中央域１４Ｃにおいてのみカップ形状が形成されて着用者にフィットし、コア後方域１４Ｂにおいては男性用失禁パッド１０の長手方向Ｘに沿う縮みがなく装着中の違和感を低減することができる。
【００４２】
前方弾性部材２０は、その延びる方向に沿って離間した少なくとも２箇所の位置において、該前方弾性部材２０を挟む部材と接合されている。例えば、前方弾性部材２０が配されている長さが、張り出し部１７の長手方向Ｘの長さと同じ場合には、該前方弾性部材２０を、その両端部の位置において、吸収性コア１４及び裏面シート１２と固定することができる。一方、前方弾性部材２０が配されている長さが、張り出し部１７の長手方向Ｘの長さよりも長い場合には、前方弾性部材２０を張り出し部１７の位置において固定することに加えて、又はそれに代えて、張り出し部１７の長手方向Ｘの前後からはみ出したはみ出し部分を、表面シート１１及び裏面シート１２によって挟んで固定することができる。
【００４３】
特に、前方弾性部材２０を挟む部材どうしが、該前方弾性部材２０の全長にわたって、該前方弾性部材２０を介して接合されていると、前方弾性部材２０の収縮応力が該部材に効果的に伝達され、それによって上述したカップ形状が一層確実に形成されるようになるので好ましい。例えば前方弾性部材２０が図３に示すとおりの状態で配されている場合には、吸収性コア１４と裏面シート１２とが、前方弾性部材２０を介して接合されていることが好ましい。
【００４４】
上述した図５に示す実施形態においては、１つの張り出し部１７に一本の前方弾性部材２０が配されていたが、別の実施形態として、図７に示すとおり、１つの張り出し部１７に２本以上の前方弾性部材を配置してもよい。このような配置形態を採用することで、張り出し部１７の起立性を一層高めることができ、コア前方域１４Ａが一層確実にカップ状に変形するようになる。
【００４５】
図７に示す実施形態を採用する場合、各前方弾性部材２０は、幅方向Ｙに沿って離間していることが、収縮応力を効果的に作用させ得る点から好ましい。同様の理由によって、任意の２本の前方弾性部材２０に着目したとき、幅方向Ｙの外方側に位置する前方弾性部材２０の方が、内方側に位置する前方弾性部材２０よりも、伸張応力が大きくなっていることが好ましい。前方弾性部材２０の伸張応力は、例えば前方弾性部材２０の太さ、引き延ばしの程度、材質等によって調整することができる。
【００４６】
図８には、更に別の実施形態が示されている。同図は、先に説明した図３に対応する図であり、男性用失禁パッド１０の前方域Ａの幅方向Ｙの断面を示している。本実施形態が図３に示す実施形態と異なる点は、吸収体１３が芯材を備えていない点である。その他の点については、これまで述べてきた実施形態についての説明が同様に適用される。図８に示す実施形態においても、コア前方域１４Ａがカップ状に変形して尿の横漏れが効果的に防止される。
【００４７】
以上のとおりの男性用失禁パッド１０は、下着の内面に装着したり、あるいはおむつ又はおむつカバーの内面に装着したりする尿吸収のための男性用失禁用パッドとして特に好適なものである。
【００４８】
以上、本発明をその好ましい実施形態に基づき説明したが、本実施形態は前記実施形態に制限されない。例えば前記実施形態においては前方弾性部材２０は、吸収性コア１４と裏面シート１２との間の位置に配されていたが、該前方弾性部材２０は、表面シート１１よりも裏面シート１２側に位置していればよく、例えば表面シート１１と吸収性コア１４との間の位置に配されてもよい。
【００４９】
また前記実施形態においては、前方弾性部材２０として、糸状の弾性部材を用いたが、これに代えて、幅及び長さを有するフィルム状の弾性部材を用いてもよい。
【００５０】
上述した実施形態に関し、本発明は更に以下の男性用失禁パッドを開示する。
＜１＞
長手方向及びそれと直交する幅方向を有し、
長手方向の中央に位置する中央域と、該中央域から長手方向の前後にそれぞれ延出する前方域及び後方域とを有し、
表面シート、裏面シート、及び両シート間に配置され、かつ吸収性コアを備えた吸収体を有し、
前記吸収性コアは、中央域における幅よりも前方域における幅の方が広くなっており、それによって該吸収性コアは、前方域において、中央域における側縁よりも幅方向の外方へ張り出した張り出し部を有し、
前記張り出し部に、長手方向に延びる弾性部材が伸張状態で配置されており、
前記弾性部材は、前記表面シートよりも前記裏面シート側に位置している、男性用失禁パッド。
【００５１】
＜２＞
前記弾性部材が、前記張り出し部の長手方向全域にわたって配置されている前記＜１＞に記載の男性用失禁パッド。
＜３＞
前記弾性部材を挟む部材どうしが、該弾性部材の全長にわたって、該弾性部材を介して接合されている前記＜１＞又は＜２＞に記載の男性用失禁パッド。
＜４＞
前記弾性部材が、前記吸収性コアと前記裏面シートとの間に位置している前記＜１＞ないし＜３＞のいずれか１に記載の男性用失禁パッド。
＜５＞
前記張り出し部に、該張り出し部の長手方向に延びる前記弾性部材が２本以上配置されており、
前記各弾性部材は、幅方向に沿って離間しており、
任意の２本の前記弾性部材に着目したとき、幅方向の外方側に位置する該弾性部材の方が、内方側に位置する該弾性部材よりも、伸張応力が大きくなっている前記＜１＞ないし＜４＞のいずれか１に記載の男性用失禁パッド。
＜６＞
前方域において、前記吸収性コアは、幅方向の中央に位置する中央部と、該中央部から幅方向外方へ延出した前記張り出し部とを備え、
前記張り出し部はその曲げ剛性が、前記中央部の曲げ剛性よりも低くなっている前記＜１＞ないし＜５＞のいずれか１に記載の男性用失禁パッド。
【００５２】
＜７＞
前記吸収体は、コアラップシート及び前記吸収性コアを有し、
前記吸収性コアにおける前記表面シート側にのみ、前記コアラップシートが配されている前記＜１＞ないし＜６＞のいずれか１に記載の男性用失禁パッド。
＜８＞
前記男性用失禁パッドが前方域、中央域及び後方域に区分されるのに対応して、前記吸収性コアも、コア前方域、コア中央域及びコア後方域に区分されており、
前記吸収体は、コアラップシート及び前記吸収性コアを有し、
幅方向において、前記コアラップシートは、コア中央域と同じ幅を有しており、かつ前記張り出し部上は該コアラップシートで被覆されていない前記＜１＞ないし＜７＞のいずれか１に記載の男性用失禁パッド。
＜９＞
前記吸収体の幅方向中央の位置に、長手方向に沿って延びる芯材が配置されている前記＜１＞ないし＜８＞のいずれか１に記載の男性用失禁パッド。
＜１０＞
前記芯材は、前記男性用失禁パッドに剛性を付与するために用いられる部材である前記＜９＞に記載の男性用失禁パッド。
＜１１＞
前記剛性は曲げ剛性である前記＜１０＞に記載の男性用失禁パッド。
＜１２＞
前記芯材の曲げ剛性は５．０ｃＮ以上２００ｃＮ以下である前記＜１１＞に記載の男性用失禁パッド。
＜１３＞
前記芯材は、高吸収性ポリマーを非含有のものである前記＜９＞ないし＜１２＞のいずれか１に記載の男性用失禁パッド。
＜１４＞
前記芯材は、前記吸収体よりも前記裏面シート側に位置している前記＜９＞ないし＜１５＞のいずれか１に記載の男性用失禁パッド。
【００５３】
＜１５＞
前記芯材が抄造体のシート材から構成されている前記＜９＞ないし＜１４＞のいずれか１に記載の男性用失禁パッド。
＜１６＞
前記シート材は、２枚以上を重ね合わせた多層構造である前記＜１５＞に記載の男性用失禁パッド。
＜１７＞
前記芯材が、第１方向及びそれと直交する第２方向を有し、第１方向に沿う一対の側部域を有する矩形のシート材から構成され、
前記シート材を第１方向に沿って、かつ両側部域が重なるように三つ折りして、前記芯材が構成されている前記＜１５＞に記載の男性用失禁パッド。
＜１８＞
前記両側部域の重なり部位が、前記芯材の幅方向中央部に位置している前記＜１７＞に記載の男性用失禁パッド。
＜１９＞
前記吸収体と前記芯材とが非接着状態になっている前記＜９＞ないし＜１８＞のいずれか１に記載の男性用失禁パッド。
【００５４】
＜２０＞
前記表面シート側において、前記男性用失禁パッドの幅方向の両側部に、該男性用失禁パッドの長手方向のうち少なくとも前記吸収体が存在している領域にわたり、弾性部材が伸張状態で配されている前記＜１＞ないし＜１９＞のいずれか１に記載の男性用失禁パッド。
＜２１＞
前記男性用失禁パッドは、前記表面シート側において、幅方向の両側部の位置に、長手方向に延びる一対の防漏カフを備えており、
前記防漏カフは、長手方向に延びるシート材を有しており、
前記シート材には弾性部材が伸張状態で配されている前記＜１＞ないし＜２０＞のいずれか１に記載の男性用失禁パッド。
＜２２＞
前記男性用失禁パッドが前方域、中央域及び後方域に区分されるのに対応して、前記吸収性コアも、コア前方域、コア中央域及びコア後方域に区分されており、
コア前方域、コア中央域及びコア後方域の厚み及び／又は坪量が異なっている前記＜１＞ないし＜２１＞のいずれか１に記載の男性用失禁パッド。
＜２３＞
前記男性用失禁パッドが前方域、中央域及び後方域に区分されるのに対応して、前記吸収性コアも、コア前方域、コア中央域及びコア後方域に区分されており、
コア前方域、コア中央域及びコア後方域の少なくとも１つに、溝部又は貫通孔が形成されている前記＜１＞ないし＜２２＞のいずれか１に記載の男性用失禁パッド。
＜２４＞
前記男性用失禁パッドが前方域、中央域及び後方域に区分されるのに対応して、前記吸収性コアも、コア前方域、コア中央域及びコア後方域に区分されており、
コア中央域は、前記吸収性コアの最小幅ＷＣを有する前記＜１＞ないし＜２３＞のいずれか１に記載の男性用失禁パッド。
【００５５】
＜２５＞
前記男性用失禁パッドが前方域、中央域及び後方域に区分されるのに対応して、前記吸収性コアも、コア前方域、コア中央域及びコア後方域に区分されており、
コア前方域は、前記吸収性コアの最大幅ＷＡを有する前記＜１＞ないし＜２４＞のいずれか１に記載の男性用失禁パッド。
＜２６＞
前記男性用失禁パッドが前方域、中央域及び後方域に区分されるのに対応して、前記吸収性コアも、コア前方域、コア中央域及びコア後方域に区分されており、
コア中央域は、前記吸収性コアの最小幅ＷＣを有し、
コア前方域は、前記吸収性コアの最大幅ＷＡを有し、
コア後方域は、最小幅ＷＣと最大幅ＷＡとの中間の幅である中間幅ＷＢを有する前記＜１＞ないし＜２５＞のいずれか１に記載の男性用失禁パッド。
＜２７＞
前記吸収体の幅方向中央の位置に、長手方向に沿って延びる芯材が配置されており、
前記芯材は、その長手方向の長さが、前記吸収性コアの長手方向の長さと概ね一致しているか、又はそれよりも短くなっている前記＜１＞ないし＜２６＞のいずれか１に記載の男性用失禁パッド。
＜２８＞
前記吸収体の幅方向中央の位置に、長手方向に沿って延びる芯材が配置されており、
前記男性用失禁パッドが前方域、中央域及び後方域に区分されるのに対応して、前記吸収性コアも、コア前方域、コア中央域及びコア後方域に区分されており、
コア中央域は、前記吸収性コアの最小幅ＷＣを有し、
前記芯材の幅方向の長さは、前記コア中央域での最小幅ＷＣと概ね一致している前記＜１＞ないし＜２７＞のいずれか１に記載の男性用失禁パッド。
＜２９＞
前記吸収体の幅方向中央の位置に、長手方向に沿って延びる芯材が配置されており、
前記男性用失禁パッドが前方域、中央域及び後方域に区分されるのに対応して、前記吸収性コアも、コア前方域、コア中央域及びコア後方域に区分されており、
前記コア前方域の前記張り出し部に対応する前記吸収体の領域には、前記芯材が存在していない前記＜１＞ないし＜２８＞のいずれか１に記載の男性用失禁パッド。
【００５６】
＜３０＞
前記男性用失禁パッドは、前記表面シート側において、幅方向の両側部の位置に、長手方向に延びる一対の防漏カフを備えており、
前記防漏カフは、長手方向に延びるシート材を有しており、
前記シート材には弾性部材が伸張状態で配されており、
前記男性用失禁パッドを平らに引き延ばして平面視した場合、前記張り出し部に配置されている前記弾性部材は、前記防漏カフに配されている前記弾性部材よりも、幅方向の外方に位置している前記＜１＞ないし＜２９＞のいずれか１に記載の男性用失禁パッド。
＜３１＞
前記張り出し部に、長手方向に沿って延びる筋状のエンボス部が１条又は多条に形成されているか、又は
前記張り出し部に、長手方向と交差するように斜行して延びる筋状のエンボス部が１条又は多条に形成されている前記＜１＞ないし＜３０＞のいずれか１に記載の男性用失禁パッド。
＜３２＞
前記吸収体の幅方向中央の位置に、長手方向に沿って延びる芯材が配置されており、
前記芯材は、前記男性用失禁パッドの厚み方向において、前記吸収性コアの中央部と重なる位置に配されている前記＜１＞ないし＜２８＞のいずれか１に記載の男性用失禁パッド。
＜３３＞
前記吸収体の幅方向中央の位置に、長手方向に沿って延びる芯材が配置されており、
前記芯材が、第１方向及びそれと直交する第２方向を有し、第１方向に沿う一対の側部域を有する矩形のシート材から構成され、
前記シート材を第１方向に沿って、かつ両側部域が重なるように三つ折りして、前記芯材が構成されており、
前記芯材は、三つ折りされて互いに対向する領域の間が、接着剤によって接着されている前記＜１＞ないし＜３２＞のいずれか１に記載の男性用失禁パッド。
＜３４＞
前記張り出し部に配置されている前記弾性部材の長さは、該張り出し部の長手方向の長さの８０％以上であることが好ましく、９０％以上であることが更に好ましく、また１００％以下であることが好ましい前記＜１＞ないし＜３３＞のいずれか１に記載の男性用失禁パッド。
＜３５＞
前記張り出し部に配置されている前記弾性部材の長さが、該張り出し部の長手方向の長さよりも長く、該弾性部材が、該張り出し部における前記中央域側の端部を越えて延出している前記＜１＞ないし＜３３＞のいずれか１に記載の男性用失禁パッド。
【符号の説明】
【００５７】
１０  男性用失禁パッド
１１  表面シート
１２  裏面シート
１３  吸収体
１４  吸収性コア
１５  芯材
１６  防漏カフ
１６Ａ  シート材
１６Ｂ  弾性部材
１７  張り出し部
１８  中央部
１９  サブレイヤーシート
２０  前方弾性部材
２１  接着剤
２３  コアラップシート
【図１】
2015188714.tif 000003
【図２】
2015188714.tif 000004
【図３】
2015188714.tif 000005
【図４】
2015188714.tif 000006
【図５】
2015188714.tif 000007
【図６】
2015188714.tif 000008
【図７】
2015188714.tif 000009
【図８】
2015188714.tif 000010